(57)【特許請求の範囲】
【請求項１】
ネジ等の固定素子（１）を担持するためのマガジンであって，一対の側壁（２）が後壁（３）から突出し，かつ，互いに対向状態で長手方向（Ｌ）にほぼ平行に延在して，固定素子（１）を全長の少なくとも一部に亙って保持するための保持スペース（６）を形成すると共に端部領域（４）を有し，更に，固定素子（１）の抜け出しを防止するための少なくとも1個の抜け出し防止手段（７）を具える固定素子マガジンにおいて，該抜け出し防止手段（７）を，後壁（３）に対して垂直に延在する保持スペース（６）の狭部（８）で構成したことを特徴とするマガジン。
【請求項２】
請求項１記載のマガジンにおいて，前記狭部（８）を，少なくとも一方の端部領域（４）と後壁（３）とにより形成したことを特徴とするマガジン。
【請求項３】
請求項１又は２に記載のマガジンにおいて，前記狭部（８）を，マガジンの少なくとも一方の長手方向端部（５ａ，５ｂ）に配置したことを特徴とするマガジン。
【請求項４】
請求項１〜３の何れか一項に記載のマガジンにおいて，前記狭部（８）を具えるマガジンにおける少なくとも一方の長手方向端部（５ａ，５ｂ）を，塑性変形可能な継手（１０）を介してマガジンの残部に結合したことを特徴とするマガジン。
【請求項５】
請求項４記載のマガジンにおいて，前記継手（１０）を材料削減部により形成したことを特徴とするマガジン。
【請求項６】
請求項５記載のマガジンにおいて，前記材料削減部（１０）を，少なくとも一方の側壁（２）に配置した少なくとも１個のスリット（９）により形成したことを特徴とするマガジン。
【請求項７】
請求項６記載のマガジンにおいて，前記材料削減部（１０）を，後壁（３）に対してほぼ垂直に延在する互いに対向する一対のスリット（９）により形成したことを特徴とするマガジン。
【請求項８】
請求項４〜７の何れか一項に記載のマガジンにおいて，前記継手（１０）を固定位置に保持するための少なくとも１個の保持機構を具えることを特徴とするマガジン。
【請求項９】
請求項８記載のマガジンにおいて，前記保持機構を予定破断個所により形成したことを特徴とするマガジン。
【請求項１０】
請求項９記載のマガジンにおいて，前記予定破断個所をウェブ（１１）として形成したことを特徴とするマガジン。
【発明の詳細な説明】
【０００１】
【発明の属する技術分野】
本発明は，ネジ等の固定素子を担持するためのマガジンに関し，特に，一対の側壁が後壁から突出し，かつ，互いに対向状態で長手方向にほぼ平行に延在して，固定素子を全長の少なくとも一部に亙って保持するための保持スペースを形成すると共に端部領域を有し，更に，固定素子の抜け出しを防止するための少なくとも1個の抜け出し防止手段を具える固定素子に関するものである。
【０００２】
【従来の技術】
上述の構成を有するマガジンは，頭部及びシャフトを有するネジ等の固定素子を担持するものである。固定素子マガジンは，長手方向に互いに対向してほぼ平行に延在する一対の側壁を具える。これらの側壁は，保持スペースを形成するために後壁から突出する。保持スペースの寸法を適切に設定し，少なくとも固定素子の長手方向端部，特に頭部を収納可能とする。固定素子は，マガジンの長手方向に変位可能に担持される。マガジンの少なくとも一方の長手方向端部に抜け出し防止手段を配置して，マガジンからの固定素子の不所望な抜け出しを防止する。固定素子は，その長手方向軸線が後壁に対して垂直となるようにマガジン内に収納される。
【０００３】
【特許文献１】
米国特許第３８９１０１４号明細書
【０００４】
特許文献１（米国特許第３８９１０１４号明細書）に記載されているマガジンでは，保持スペースを形成するよう互いに対向する一対の側壁が，ほぼ平行に長手方向に延在する。これらの側壁は後壁から突出すると共に，長手方向に延在する開口を規定する端部領域を具える。保持スペースは固定素子を全長の少なくとも一部に亙って保持すると共に，各長手方向端部に配置した抜け出し防止手段により固定素子が長手方向に対して直角方向に抜け出すのを防止する。抜け出し防止手段は，保持スペース内に予圧状態で配置された弾性変形可能な係止突部を有する。マガジンの押入に際しては，係止突部を解除機構により，ばね力に抗して少なくとも部分的に保持スペースから移動させることにより，固定素子を保持スペースから排出可能とする。
【０００５】
上述した従来技術は，抜け出し防止手段を作動させるために，機械的に複雑な構成の解除機構が必要とされる点で不利である。更に，複数部品から構成される抜け出し防止手段は，経済的に製造することが困難である。
【０００６】
【発明の課題】
本発明の課題は，経済的に製造可能な抜け出し防止手段を具える固定素子マガジンを提案することにある。
【０００７】
【課題の解決手段】
この課題を解決するため，本発明は，一対の側壁が後壁から突出し，かつ，互いに対向状態で長手方向にほぼ平行に延在して，固定素子を全長の少なくとも一部に亙って保持するための保持スペースを形成すると共に端部領域を有し，更に，固定素子の抜け出しを防止するための少なくとも1個の抜け出し防止手段を具える固定素子マガジンにおいて，該抜け出し防止手段を，後壁に対して垂直に延在する保持スペースの狭部で構成したことを特徴とするものである。
【０００８】
本発明によれば，固定素子の抜け出しを防止するための抜け出し防止手段を，後壁に対して垂直に延在する保持スペースの狭部で構成することにより，マガジンを経済的に製造することが可能である。狭部は少なくとも側壁，特にその端部領域の間隔を減少させることにより容易に形成可能である。有頭ネジを固定素子として使用する場合，後壁に対して垂直に延在する狭部の内幅は，マガジンの長手方向におけるネジ頭部の寸法よりも小とする。
【０００９】
マガジンを経済的に製造可能とするため，狭部を端部領域と後壁とにより形成するのが好適である。
【００１０】
狭部をマガジンの長手方向における少なくとも一端部に配置するのが有利であり，この場合にはマガジン内には単位長さ当りで最大個数の固定素子を保持することが可能である。
【００１１】
狭部を具えるマガジンの長手方向端部は，塑性変形可能な継手を介してマガジンの残部に結合するのが有利である。この場合には，マガジン残部に対して狭部を折曲させることにより，抜け出し防止手段を容易に解除することが可能である。
【００１２】
マガジンを経済的に製造可能とするため，塑性変形可能な継手を材料削減部として形成するのが好適である。
【００１３】
材料削減部は，少なくとも一方の側壁に配置され，開口に向けて開放したスリットにより形成するのが好適である。それにより，狭部を含む端部領域を，大きな労力を要せずに確実に折曲げることができ，さらに，マガジンの使用者は抜け出し防止手段の要操作位置を容易に視認することが可能である。
【００１４】
材料削減部は，後壁に対してほぼ垂直に延在する２個のスリットを互いに対向させて配置して形成するのが有利である。
【００１５】
塑性変形可能な継手を固定位置に保持するための少なくとも１個の保持機構をマガジンに設けるのが有利である。この場合には，使用者の意図しない抜け出し防止手段の解除操作等を困難又は不可能とすることができる。
【００１６】
マガジンを経済的に製造可能とするため，保持機構を予定破断個所により形成するのが好適である。この予定破断個所は，特にウェブとして形成するのが好適である。
【００１７】
【好適な実施形態】
以下，本発明を図示の好適な実施形態について更に具体的に説明する。
【００１８】
図１〜図４に示す本発明のマガジンは，ネジ等の固定素子１を連続的に担持するために，互いに対向しつつ長手方向Ｌにほぼ平行に延在する一対の側壁２を具える。これらの側壁２は，後壁３から突出して固定素子１のための保持スペース６を形成するものである，側壁２の長手方向における端部領域４は，固定素子１が後壁３に対して垂直方向に抜け出すのを防止すると共に，長手方向開口１２を限定する。保持スペース６は，固定素子１をその全長の一部に亙って保持する。固定素子１が長手方向Ｌに変位して長手方向端部５ａ，５ｂから抜け出しするのを防止するため，各長手方向端部５ａ，５ｂには抜け出し防止手段７を配置する。
【００１９】
抜け出し防止手段７は，各長手方向端部５ａ，５ｂにおいて，後壁３に対して垂直に延在する保持スペースの狭部８を含む。狭部８は，図３に示すように，端部領域４及び後壁３により形成される。抜け出し防止手段７は塑性変形可能な継手１０を含み，この継手１０により長手方向端部５ａ，５ｂ領域をマガジンの残部と結合する。継手１０は材料削減部により形成し，特に互いに対向させて両側壁２に配置した一対のスリット９により形成するのが好適である。マガジンはスリット９の領域にウェブ１１を具える。保持機構として作用するウェブは，継手１０を固定位置に保持する。予定破断箇所として作用するウェブ１１の領域において，対応する狭部８を有する何れかの長手方向端部５ａ，５ｂを折曲することにより抜け出し防止手段７が解除され，固定素子１は開放した当該長手方向端部における開口１５を経て排出可能となる（図４）。
【００２０】
固定素子１はシャフト部分１３及び頭部１４とを有し，頭部１４に連なるシャフト部分１３にはネジ山が設けられている。固定素子１は，頭部１４によりマガジンの保持スペース６内に保持される。図１〜図３に示すように，抜け出し防止手段７の閉鎖状態では，狭部８により固定素子１の頭部１４が抜け出るのを防止する。狭部８を有するマガジンの領域を折曲すると，狭部８がマガジンの残部に対して対応する継手１０を中心に旋回するため，後壁３と側壁２とにより規定された長手方向端部開口１５が開放される。固定素子１をマガジンの長手方向Ｌに変位させて収容されるため，開放した長手方向端部開口１５を経て固定素子１を排出することが可能となる。例えば、固定素子１を長手方向Ｌで開放された長手方向端部の開口１５に対して予圧状態とされる弾性素子（図示せず）により，前記排出工程をバックアップすることができる。
【図面の簡単な説明】
【図１】  本発明によるマガジンを示す平面図である。
【図２】  図１に示したマガジンを示す側面図である。
【図３】  図１に示したマガジンを抜け出し防止手段を閉鎖状態で示す斜視図である。
【図４】  図１に示したマガジンを抜け出し防止手段を解除状態で示す斜視図である。
【符号の説明】
１  固定素子
２  側壁
３  後壁
４  端部領域
５ａ，５ｂ  長手方向端部
６  保持スペース
７  抜け出し防止手段
８  狭部
９  スリット
１０  継手
１１  ウェブ
１２  長手方向開口
１３  シャフト部分
１４  頭部
１５  長手方向端部開口
【図１】
0004230800.tif 000002
【図２】
0004230800.tif 000003
【図３】
0004230800.tif 000004
【図４】
0004230800.tif 000005